(57)【特許請求の範囲】
【請求項１】
ディスクに記録されている信号を再生するディスクプレーヤにおいて、
ターンテーブル(14)及び信号再生機構(15)が配備されたシャーシ(２)と、
上方に向けて開口するディスク挿入口(13)を有し、シャーシ(２)に水平方向の往復移動が可能に支持されて、ターンテーブル(14)に対して接近離間するホルダー(３)と、
ホルダー(３)を前記接近離間方向へ往復駆動するホルダー駆動機構と、
ホルダー(３)内に昇降可能に配備され、ディスク挿入口(13)から挿入された垂直姿勢のディスク(12)を受け止めることが可能なリフター(５)と、
リフター(５)をホルダー(３)内で昇降駆動するリフター駆動機構
とを具え、前記リフター駆動機構は、シャーシ(２)に配備された原動機構(20)によって昇降駆動されるリフター駆動スライド(６)と、該リフター駆動スライド(６)の端部をリフター(５)の端部に連結する連結バネ(60)とを具えていることを特徴とするディスクプレーヤ。
【請求項２】
リフター駆動スライド(６)の端部とリフター(５)の端部とが、ホルダー(３)の移動方向に沿って相対移動が可能に互いに摺接すると共に、連結バネ(60)の付勢力によって互いに圧接されている請求項１に記載のディスクプレーヤ。
【請求項３】
ホルダー(３)には、ターンテーブル(14)との間にディスク(12)をチャックするためのチャック機構が取り付けられている請求項１又は請求項２に記載のディスクプレーヤ。
【請求項４】
原動機構(20)は、第１及び第２のカム溝(41)(42)を有するカムギア(４)と、該カムギア(４)を回転駆動するモータ(21)とを具え、カムギア(４)の第１カム溝(41)には、ホルダー駆動機構の入力部に設けられたカムフォロワー(71)が係合すると共に、カムギア(４)の第２カム溝(42)には、リフター駆動機構の入力部に設けられたカムフォロワー(52)が係合している請求項１乃至請求項３の何れかに記載のディスクプレーヤ。
【発明の詳細な説明】
【０００１】
【発明の属する技術分野】
本発明は、ＤＶＤプレーヤ等のディスクプレーヤに関するものである。
【０００２】
【従来の技術】
一般に、ディスクプレーヤを内蔵したテレビジョン受像機においては、ディスクプレーヤは、表示画面を具えた受像機本体のキャビネット内、或いは受像機本体の側方に配置したスピーカ装置のキャビネット内に収容されて、該キャビネットの前面パネルから出没するディスクトレイを具え、該トレイ上にディスクを水平の姿勢で載置することによって、前面パネルの奥方に配備された信号再生装置へディスクを送り込む構成となっている。
【０００３】
【発明が解決しようとする課題】
ところで、近年、液晶ディスプレイやプラズマディスプレイを具えた薄型のテレビジョン受像機が開発されており、この様な薄型のテレビジョン受像機に従来のディスクプレーヤを内蔵した場合、ディスクは水平の姿勢でキャビネット内に収容されるので、テレビジョン受像機のキャビネットの奥行き寸法が、ディスクの直径によって制限されることになる。
【０００４】
そこで、ディスクを垂直に立てた姿勢で記録再生位置へ送り込むディスクプレーヤが提案されており、該ディスクプレーヤにおいては、ディスク挿入口へ垂直姿勢で挿入したディスクを押し下げることによって、ディスクのローディングが開始される。
しかしながら、ディスクを過大な力で深く押し下げた場合、その力によってディスクが変形したり、ディスクローディング機構が損傷を受けたりする問題があった。
【０００５】
又、固定シャーシに対して、ディスクホルダーを水平方向の往復移動が可能に支持し、該ホルダーを駆動して、ホルダー内のディスクを信号再生位置へ送り込むディスクローディング機構において、ホルダーの内部に、ディスクをディスク挿入口から上方へ排出するためのリフターを配備した場合、該リフターはホルダーと共に水平移動を行なうのに対し、該リフターを昇降駆動するためのリフター駆動部材は、シャーシ側に配備されて昇降移動のみが許容されているので、リフター昇降部材とリフターの間の連結構造が複雑となる問題があった。
【０００６】
そこで本発明の目的は、ディスクを垂直に立てた姿勢で記録再生位置へ送り込む方式のディスクプレーヤにおいて、ディスクを垂直姿勢で挿入口に挿入して押し下げる際、ディスクを過大な力で深く押し下げたとしても、ディスクが変形したり、ホルダー内のリフター昇降機構が損傷を受けたりすることがなく、然も、リフター昇降機構を簡易な構成で実現することが出来るディスクプレーヤを提供することである。
【０００７】
【課題を解決する為の手段】
本発明に係るディスクプレーヤは、
ターンテーブル(14)及び信号再生機構(15)が配備されたシャーシ(２)と、
上方に向けて開口するディスク挿入口(13)を有し、シャーシ(２)に水平方向の往復移動が可能に支持されて、ターンテーブル(14)に対して接近離間するホルダー(３)と、
ホルダー(３)を前記接近離間方向へ往復駆動するホルダー駆動機構と、
ホルダー(３)内に昇降可能に配備され、ディスク挿入口(13)から挿入された垂直姿勢のディスク(12)を受け止めることが可能なリフター(５)と、
リフター(５)をホルダー(３)内で昇降駆動するリフター駆動機構
とを具え、前記リフター駆動機構は、シャーシ(２)に配備された原動機構(20)によって昇降駆動されるリフター駆動スライド(６)と、該リフター駆動スライド(６)の端部をリフター(５)の端部に連結する連結バネ(60)とを具えている。
【０００８】
上記本発明のディスクプレーヤにおいては、ホルダー(３)をターンテーブル(14)から最も離れたオープン位置に設置すると共に、リフター(５)を最も上方の位置に設置した状態で、該ホルダー(３)のディスク挿入口(13)へディスク(12)を垂直姿勢で挿入する。これによって、ディスク(12)は、リフター(５)によって受け止められることになる。
この状態で、ディスク(12)を押し下げると、原動機構(20)が起動して、リフター駆動スライド(６)が下方へ駆動される。ここで、リフター駆動スライド(６)とリフター(５)とは連結バネ(60)によって互いに連結されているので、リフター駆動スライド(６)と一体にリフター(５)が下降し、これに伴ってディスク(12)がホルダー(３)の内部に収容される。
【０００９】
この場合、過大な力で深くディスク(12)を押し下げたとしても、連結バネ(60)が伸びることによって、リフター(５)は、リフター駆動スライド(６)に対して下降方向へ相対移動することが可能であり、連結バネ(60)によって、リフター(５)に作用する過大な力が吸収されるので、ディスク(12)が変形したり、リフター駆動機構が損傷を受けたりすることはない。
【００１０】
次に、ホルダー駆動機構が動作して、ホルダー(３)がターンテーブル(14)へ向かって移動し、最終的にホルダー(３)内のディスク(12)がターンテーブル(14)上に設置されることになる。
尚、ホルダー(３)が水平方向に移動することによって、該ホルダー(３)内のリフター(５)も水平方向に移動するのに対し、リフター駆動スライド(６)は、シャーシ(２)側に設置されて、昇降移動のみが許容されているが、リフター(５)とリフター駆動スライド(６)とは連結バネ(60)によって連結されているに過ぎないので、連結バネ(60)が伸びることによって、リフター駆動スライド(６)に対するリフター(５)の水平方向の相対移動が許容される。
【００１１】
その後、リフター(５)が僅かに下降し、ディスク(12)から離間することによって、ディスク(12)の回転が自由となる。
この状態でターンテーブル(14)が回転駆動されることによって、ディスク(12)が回転し、信号再生機構(15)によってディスク(12)から信号が再生される。
【００１２】
具体的構成においては、リフター駆動スライド(６)の端部とリフター(５)の端部とが、ホルダー(３)の移動方向に沿って相対移動が可能に互いに摺接すると共に、連結バネ(60)の付勢力によって互いに圧接されている。
従って、リフター(５)が昇降移動を行なう過程では、リフター駆動スライド(６)の端部とリフター(５)の端部とが互いに圧接された状態で、両者が一体となって移動する。又、ホルダー(３)が水平方向に移動する過程では、連結バネ(60)が伸びることによって、リフター(５)の端部がリフター駆動スライド(６)の端部に対して摺動して、リフター(５)が水平方向に移動する。
【００１３】
具体的構成において、ホルダー(３)には、ターンテーブル(14)との間にディスク(12)をチャックするためのチャック機構が取り付けられている。
従って、ホルダー(３)がターンテーブル(14)へ向かって移動し、ホルダー(３)内のディスク(12)がターンテーブル(14)上に設置された状態で、ターンテーブル(14)とチャック機構の間にディスク(12)がチャックされることになる。
【００１４】
又、具体的構成において、原動機構(20)は、第１及び第２のカム溝(41)(42)を有するカムギア(４)と、該カムギア(４)を回転駆動するモータ(21)とを具え、カムギア(４)の第１カム溝(41)には、ホルダー駆動機構の入力部に設けられたカムフォロワー(71)が係合すると共に、カムギア(４)の第２カム溝(42)には、リフター駆動機構の入力部に設けられたカムフォロワー(52)が係合している。
従って、モータ(21)によってカムギア(４)を回転駆動することによって、該カムギア(４)の回転が、ホルダー駆動機構とリフター駆動機構の両方、若しくは何れか一方に伝えられて、ホルダー(３)の往復駆動とリフター(５)の昇降駆動が行なわれる。
【００１５】
【発明の効果】
本発明に係るディスクプレーヤによれば、ディスクを垂直姿勢でホルダーの挿入口に挿入して押し下げる際、ディスクを過大な力で深く押し下げたとしても、ディスクが変形したり、リフター昇降機構が損傷を受けたりすることはない。然も、リフター昇降機構は、リフターとリフター駆動スライドとを連結バネによって互いに連結した簡易な構成で実現することが出来る。
【００１６】
【発明の実施の形態】
以下、本発明の実施の形態につき、図面に沿って具体的に説明する。
全体構成
図１(ａ)(ｂ)は、本発明に係るディスクプレーヤ(11)を内蔵した薄型のテレビジョン受像機(１)を表わしている。該テレビジョン受像機(１)は、画面(10)を具えた受像機本体の両側に一対のスピーカ装置を配置して構成され、一方のスピーカ装置のキャビネット(16)内には、その前面パネル(17)の下部から露出させて、本発明のディスクプレーヤ(11)が配備されている。
【００１７】
ディスクプレーヤ(11)は、ディスク(12)を保持すべきホルダー(３)を具え、該ホルダー(３)は、図１(ａ)の如く前面パネル(17)の後方に後退したクローズ状態と、同図(ｂ)の如く前面パネル(17)よりも前方へ突出したオープン状態との間で、前後に往復移動が可能である。
図１(ｂ)の如く、ホルダー(３)をオープン状態まで移動させたとき、該ホルダー(３)の上面に開設されたディスク挿入口(13)が露出して、ディスク(12)の挿入が可能となる。
そして、ディスク(12)を収容したホルダー(３)が図１(ａ)の如くクローズ位置まで移動することによって、該ホルダー(３)内のディスク(12)がターンテーブル(図示省略)上に設置されて、信号再生機構(図示省略)による信号の再生が行なわれる。
【００１８】
ディスクプレーヤ(11)は、図２及び図３に示す如く、奥行き寸法の小さな箱状のシャーシ(２)を具え、該シャーシ(２)に対してホルダー(３)が前後方向へ往復移動可能に取り付けられている。
ホルダー(３)の内部には、図４に示す如く垂直姿勢のディスク(12)を受け止めるためのリフター(５)が昇降可能に配備されている。リフター(５)には、図１６に示す如く、円弧状のディスク受け部(56)が設けられている。
【００１９】
シャーシ(２)の背面には、図５に示す如く、モータ(図示省略)を動力源としてカムギア(４)を回転駆動する原動機構(20)が配備される。
カムギア(４)には、シャーシ(２)側の表面に、図１４に示す如く渦巻き状に伸びる２本のカム溝(41)(42)が凹設されており、後述の如く両カム溝(41)(42)のカム作用によって、ホルダー(３)の往復駆動とリフター(５)の昇降駆動が行なわれる。
【００２０】
シャーシ(２)には、図６に示す如く、ディスク(12)を回転駆動するためのターンテーブル(14)と、ターンテーブル(14)上のディスク(12)から信号を再生するための信号再生機構(15)とが配備されている。
【００２１】
ホルダー駆動機構
シャーシ(２)には、図１２に示す如く、上壁及び下壁にそれぞれ、前後方向へ伸びる２本のホルダー案内溝(23)(23)が開設されている。これらのホルダー案内溝(23)(23)(23)(23)には、図６に示す如く、特殊ビス(31)がそれぞれ挿通されて、その先端部がホルダー(３)にねじ込まれている。
これによって、ホルダー(３)はシャーシ(２)に対して前後方向へ往復移動可能に支持されている。
【００２２】
又、シャーシ(２)とホルダー(３)の間には、図７及び図１８に示すカムスライド(８)が配備され、該カムスライド(８)は、シャーシ(２)に対して左右水平方向の往復移動が可能に取り付けられている。
カムスライド(８)の上壁及び下壁にはそれぞれ、斜め方向に伸びる２本のカム溝(81)(81)が開設されており、各カム溝(81)を前記特殊ビス(31)が貫通して、その先端部が前述の如くホルダー(３)にねじ込まれている。
従って、カムスライド(８)が左右に駆動されると、該カムスライド(８)のカム溝(81)のカム作用によって、ホルダー(３)が前後に往復駆動されることになる。
【００２３】
シャーシ(２)には、カムギア(４)との対向面に、図８及び図１７に示すホルダー駆動スライド(７)がシャーシ(２)に沿って往復移動可能に取り付けられている。ホルダー駆動スライド(７)には、図１７に示す如く、カムフォロワー(71)、突片(74)(75)、及びバネ掛け片(73)が突設されており、該カムフォロワー(71)が、図図１１に示す如くカムギア(４)の第１カム溝(41)に係合している。又、突片(74)(75)が、シャーシに開設した案内溝(図示省略)に摺動可能に係合して、前述の如くホルダー駆動スライド(７)の往復移動が案内されている。バネ掛け片(73)には、連結バネ(72)の一端が連結され、該連結バネ(72)の他端は、図８に示す如くカムスライド(８)に突設したバネ掛け片(82)に連結されている。
【００２４】
従って、図２３(ａ)(ｂ)(ｃ)及び図２４(ａ)(ｂ)(ｃ)に示す如く、カムギア(４)の回転によってホルダー駆動スライド(７)が左右に往復駆動されると、該ホルダー駆動スライド(７)と連結バネ(72)を介して連結されたカムスライド(８)が、ホルダー駆動スライド(７)と一体に往復移動する。そして、該ホルダー駆動スライド(７)のカム溝(81)のカム作用によって、ホルダー(３)が前後に往復駆動されるのである。
【００２５】
リフター駆動機構
図９に示す如く、リフター(５)には、上下一対のビス(54)(54)が螺合しており、該ビス(54)(54)の頭部が、図２に示す如くホルダー(３)に上下方向に開設したリフター案内溝(32)に係合して、リフター(５)の昇降移動が案内されている。
図９に示す如くシャーシ(２)の側壁には、リフター駆動スライド(６)が昇降可能に係合している。該リフター駆動スライド(６)には、図１５に示す如く、舌片(62)、突片(63)(64)及びバネ掛け片(65)が突設されると共に、前後方向に伸びる長孔(61)が開設されており、突片(63)(64)がシャーシの側壁に開設した案内溝(図示省略)に摺動可能に係合して、前述の如くリフター駆動スライド(６)の昇降が案内されている。
【００２６】
又、図９に示す如く、リフター(５)の下端部に突設したバネ掛け片(55)と、リフター駆動スライド(６)のバネ掛け片(65)との間に、連結バネ(60)が張設されており、該連結バネ(60)の付勢力によって、図１１に示す如くリフター(５)の上端面(66)がリフター駆動スライド(６)の舌片(62)に圧接されている。
【００２７】
更に、図９に示す如く、シャーシ(２)には、リフター駆動レバー(50)が配備され、該リフター駆動レバー(50)の基端部が、シャーシ(２)に突設した枢軸(51)に枢支されて、リフター駆動レバー(50)が垂直面内で揺動可能に支持されている。
図１０及び図１１に示す如く、リフター駆動レバー(50)の中間部には、カムフォロワー(52)が突設され、該カムフォロワー(52)がカムギア(４)の第２カム溝(42)に係合している。又、リフター駆動レバー(50)の先端部には駆動ピン(53)が突設され、該駆動ピン(53)がリフター駆動スライド(６)の長孔(61)に摺動可能に嵌まっている。
従って、カムギア(４)の回転によってリフター駆動レバー(50)が揺動駆動され、これによってリフター駆動スライド(６)が昇降駆動される。そして、該リフター駆動スライド(６)の昇降に伴ってリフター(５)が昇降することになる。
【００２８】
尚、リフター駆動スライド(６)はシャーシ(２)上に配備され、リフター(５)はホルダー(３)上に配備されているので、例えばホルダー(３)が前方へ移動する過程で、リフター駆動スライド(６)とリフター(５)は水平方向の相対移動を行なう必要があるが、図１１に示す如くリフター駆動スライド(６)とリフター(５)とは連結バネ(60)によって互いに連結され、リフター(５)の上端面(66)がリフター駆動スライド(６)の舌片(62)に摺接しているに過ぎないため、連結バネ(60)が伸びることによって、両者の水平方向の相対移動が許容される。
【００２９】
原動機構
図１１に示す如く、原動機構(20)は、動力源となるモータ(21)の出力軸を、歯車及びプーリからなる減速機構(22)を介して、カムギア(４)の歯車部に連結して構成される。
図１４に示す如く、カムギア(４)の第１カム溝(41)は、ホルダー(３)をオープン完了位置で保持するためのカム溝部Ａと、ホルダー(３)をオープン位置とクローズ位置の間で往復駆動するためのカム溝部Ｂと、ホルダー(３)をクローズ位置に保持するためのカム溝部Ｃとを有している。又、カムギア(４)の第２カム溝(42)は、リフター(５)を上昇端(エジェクト完了位置)に保持するためのカム溝部Ｄと、リフター(５)を上昇端と下降端の直前位置(チャッキング位置)との間で昇降駆動するためのカム溝部Ｅと、リフター(５)をチャッキング位置に保持するためのカム溝部Ｆと、リフター(５)をチャッキング位置と下降端(プレイ位置)との間で往復駆動するためのカム溝部Ｇと、リフター(５)を下降端に保持するためのカム溝部Ｈとを有している。
【００３０】
チャック機構
ホルダー(３)には、図７及び図１３に示す如く開口(34)が開設されており、該ホルダー(３)の表面には、図１９に示す如く開口(34)を塞いで、鉄板(30)が固定されている。
ホルダー(３)には、その開口(34)を貫通して、チャックプーリアセンブリ(９)が配備され、半径方向及び回転軸方向に僅かな遊びをもって回転可能に取り付けられている。
【００３１】
チャックプーリアセンブリ(９)は、図２０に示す如く、チャックプーリ(91)とチャックディスク(92)を互いに係合させて構成される。チャックプーリ(91)は、図２１に示す如く円筒部(91a)及び円板部(91b)からなる樹脂の一体成型品であり、チャックディスク(92)は、鉄板の一体成型品である。チャックプーリ(91)とチャックディスク(92)の間には、リング状のマグネット(93)が挟持されている。
チャックディスク(92)には、マグネット(93)との対向部に、複数の貫通孔(94)が開設されており、マグネット(93)から放射される磁力線を、貫通孔(94)から漏洩させて、図２０に示す鉄板(30)へ作用せしめることが可能となっている。
又、チャックプーリ(91)には、円筒部(91a)と円板部(91b)に跨って、チャックプーリ(91)の回転軸に対して傾斜した楔状のリブ(95)が複数箇所に突設されており、これら複数のリブ(95)の外接円の直径は、図１９に示す如く、ホルダー(３)の開口(34)の内径に一致している。
【００３２】
上記チャック機構においては、図２２(ａ)に示す如くホルダー(３)がチャック位置まで後退したとき、チャックプーリアセンブリ(９)のマグネット(93)の磁力が、鉄板(30)よりもターンテーブル(14)の金属部分に強く作用して、チャックプーリアセンブリ(９)は、ターンテーブル(14)によって吸着される。この結果、チャックプーリアセンブリ(９)は、ホルダー(３)の鉄板(30)から離間する方向に変位し、ホルダー(３)に対して回転半径方向及び回転軸方向に僅かな遊びをもって、回転自由な状態となる。
この状態で、チャックプーリアセンブリ(９)は、マグネット(93)の磁力によってディスク(12)をターンテーブル(14)に向かって押圧し、これによってディスク(12)は、チャックプーリアセンブリ(９)とターンテーブル(14)の間に挟持されることになる。
従って、ターンテーブル(14)が回転すると、該ターンテーブル(14)と一体に、ディスク(12)とチャックプーリアセンブリ(９)が回転する。これによってディスク(12)から信号を再生することが可能となる。
【００３３】
信号再生後、ディスク(12)を排出するべく、図２２(ｂ)の如くホルダー(３)がターンテーブル(14)から離間すると、該ホルダー(３)の移動によってチャックプーリアセンブリ(９)がターンテーブル(14)から引き離される。この結果、チャックプーリアセンブリ(９)のマグネット(93)の磁力が、ターンテーブル(14)よりも鉄板(30)に強く作用して、チャックプーリアセンブリ(９)は、鉄板(30)によって吸着される。
このとき、チャックプーリアセンブリ(９)のリブ(95)の斜面がホルダー(３)の開口(34)の内周縁に摺接し、該斜面による芯合わせ作用によって、チャックプーリアセンブリ(９)は、その回転中心軸がターンテーブル(14)の回転中心軸と一致し、この状態でホルダー(３)に保持される。
【００３４】
その後、図２２(ｃ)に示す如く、更にホルダー(３)がターンテーブル(14)から離れる方向へ移動すると、該ホルダー(３)の移動に伴ってディスク(12)がターンテーブル(14)から離脱し、下方で待機するリフター(５)によって受け止められることになる。
このとき、チャックプーリアセンブリ(９)はディスク(12)から離間した位置でホルダー(３)に保持されているので、ディスク(12)がチャックプーリアセンブリ(９)と干渉する虞はない。
【００３５】
又、チャックプーリアセンブリ(９)は、ターンテーブル(14)と中心軸が一致した位置で保持されているので、その後のチャック動作において、図２２(ａ)の如くチャックプーリアセンブリ(９)がターンテーブル(14)によって吸引されたとき、チャックプーリアセンブリ(９)はホルダー(３)の開口(34)の内周面と摺接することなく、垂直姿勢でターンテーブル(14)側へ水平方向に移動し、そのままの姿勢でターンテーブル(14)と係合することになる。
従って、スムーズなチャッキング動作が実現される。
【００３６】
モード遷移
図２及び図３に示す如く、シャーシ(２)には、ホルダー(３)がクローズ位置に達した状態を検知するためのクローズスイッチ(25)と、リフター(５)が下降端に達した状態を検知するためのチャックスイッチ(26)が設置されている。又、ホルダー(３)には、リフター(５)が上昇端に達した状態を検知するためのエジェクトスイッチ(33)が設置されている。
これらのスイッチ(25)(26)(33)は、図示省略するマイクロコンピュータの入力ポートに接続されており、各スイッチのオン／オフに基づいて、前記原動機構(20)のモータ(21)の回転が制御される。
【００３７】
図２５〜図２９は、ディスクエジェクト完了状態からプレイ状態に至る動作モードの遷移を表わしている。
図２５に示すディスクエジェクト完了状態では、ホルダー(３)が前方へ突出すると共に、リフター(５)が上昇端に設置されており、該ホルダー(３)のディスク挿入口(13)からディスク(12)を挿入して手を離すと、該ディスク(12)は、自重によって僅かに落下した後、リフター(５)によって受け止められる。
【００３８】
この状態からディスク(12)を僅かに押し下げると、リフター(５)が図１１に示す連結バネ(60)に抗して下降し、これに伴ってエジェクトスイッチ(33)がオフとなる。この結果、原動機構(20)のモータ(21)が起動し、カムギア(４)が反時計方向に回転駆動される。カムギア(４)の回転によってリフター駆動レバー(50)が時計方向に回動し、これに伴ってリフター駆動スライド(６)が下降する。
又、リフター駆動スライド(６)の下降に伴って、図２６の如くリフター(５)が下降し、該リフター(５)上のディスク(12)がホルダー(３)内へ引き込まれていく。
【００３９】
尚、ディスク(12)を押し下げる際、過度な力をディスク(12)にかけたとしても、連結バネ(60)が伸びることによって、その力は吸収されるので、ディスク(12)が変形したり、リフター駆動機構が損傷を受けたりする虞はない。
【００４０】
図２６の状態から更にカムギア(４)が回転することによって、図２７に示す如く、リフター(５)が下降を継続すると共に、ホルダー(３)がオープン位置からクローズ位置へ向かって後退を開始する。
そして、図２８に示すチャック完了状態では、リフター(５)がチャック位置まで下降し、ホルダー(３)がクローズ位置に達する。これによってクローズスイッチ(25)がオンとなって、ホルダー(３)のクローズ完了が検知される。
その後、図２９に示すプレイ状態では、リフター(５)が更に下降して、チャック状態のディスク(12)から離脱する。この時点で、チャックスイッチ(26)がオンとなる。これによって、ターンテーブル(14)が回転駆動され、信号再生機構(15)によるディスク(12)の再生が開始される。
【００４１】
ディスク(12)の再生後、ディスク(12)を排出する場合には、原動機構(20)のモータ(21)によってカムギア(４)が時計方向に回転駆動される。これによって、図２８に示す如くリフター(５)がチャック位置まで上昇し、ディスク(12)を受け止める。続いて、図２７に示す如くホルダー(３)がクローズ位置からオープン位置へ向かって移動を開始し、続いてリフター(５)が上昇を開始する。
これによって、図２６に示す如くリフター(５)がオープン位置に達する。リフター(５)は更に上昇を継続し、最終的に図２５に示す如く、リフター(５)が上昇端に達して、ディスク(12)の排出が完了する。
【００４２】
上記本発明のディスクプレーヤ(11)は、図１(ａ)(ｂ)に示す如く、テレビジョン受像機(１)のキャビネット(16)の前面パネル(17)から露出させて取り付けられ、ホルダー(３)は、ディスク挿入口(13)を前面パネル(17)の前方へ進出させたオープン位置(図１(ｂ))と、ディスク挿入口(13)を前記前面パネル(17)の後方へ後退させたクローズ位置(図１(ａ))の間で、水平方向に往復移動して、前面パネル(17)からディスク挿入口(13)を出没させるので、キャビネット(16)内のディスクプレーヤ(11)の上方位置に他のメカニズムを配備したとしても、ディスクプレーヤ(11)の動作に支障はない。従って、ディスクプレーヤ(11)を前面パネル(17)の中央部や下部に配備することが可能となっている。
又、ディスク(12)は、前面パネル(17)と平行な垂直姿勢でホルダー(３)内に収容されるので、キャビネット(16)の奥行き寸法がディスク(12)の直径による制約を受けることはなく、キャビネット(16)の薄型化が可能である。
【００４３】
又、リフター駆動機構は、リフター駆動スライド(６)とリフター(５)とを単に連結バネ(60)によって互いに連結した構造を採用しているので、簡易な構成で、上述の如くディスク(12)やリフター駆動機構の損傷が防止されると共に、リフター駆動スライド(６)とリフター(５)の相対移動を可能とすることが出来る。
【００４４】
又、ディスクチャック機構は、ホルダー(３)をターンテーブル(14)に対して相対的に接近離間する方向に往復駆動するだけで、ホルダー(３)内に保持されているディスク(12)のチャック及びチャック解除を行なうので、構成が極めて簡易である。
【００４５】
更に又、ディスクチャック動作において、チャックプーリアセンブリ(９)は、その回転中心軸がターンテーブル(14)の回転中心軸に一致した状態でターンテーブル(14)に係合するので、確実な係合動作が実現される。
【図面の簡単な説明】
【図１】本発明に係るディスクプレーヤを内蔵したテレビジョン受像機において、ホルダーの出没動作を表わす斜視図である。
【図２】本発明に係るディスクプレーヤのホルダークローズ状態を示す斜視図である。
【図３】該ディスクプレーヤのホルダーオープン状態を示す斜視図である。
【図４】ホルダーを省略した同上状態の斜視図である。
【図５】該ディスクプレーヤを背面側から見た斜視図である。
【図６】シャーシ上の部品配置を示す斜視図である。
【図７】ホルダーに対するカムスライドの係合状態を示す斜視図である。
【図８】カムギアからカムスライドへ至る動力伝達経路を示す斜視図である。
【図９】シャーシ上のリフター駆動レバーからリフターへ至る動力伝達経路を示す斜視図である。
【図１０】カムギアとリフターの間の連結構造を示す斜視図である。
【図１１】原動機構からリフターへ至る動力伝達経路を示す斜視図である。
【図１２】シャーシの斜視図である。
【図１３】ホルダーの斜視図である。
【図１４】カムギアの正面図である。
【図１５】リフター駆動スライドの斜視図である。
【図１６】リフターの斜視図である。
【図１７】ホルダー駆動スライドの斜視図である。
【図１８】カムスライドの斜視図である。
【図１９】チャックプーリアセンブリの断面図である。
【図２０】鉄板及びチャックプーリアセンブリの斜視図である。
【図２１】チャックプーリアセンブリの分解斜視図である。
【図２２】チャック解除動作を示す一連の断面図である。
【図２３】ホルダーのクローズ状態を示す一組の図である。
【図２４】ホルダーのオープン状態を示す一組の図である。
【図２５】該ディスクプレーヤのエジェクト状態を示す斜視図である。
【図２６】該ディスクプレーヤのリフター下降途中の斜視図である。
【図２７】該ディスクプレーヤのホルダー後退途中の斜視図である。
【図２８】該ディスクプレーヤのホルダークローズ状態の斜視図である。
【図２９】該ディスクプレーヤのプレイ状態の斜視図である。
【符号の説明】
(１)  テレビジョン受像機
(10)  画面
(16)  キャビネット
(17)  前面パネル
(11)  ディスクプレーヤ
(13)  ディスク挿入口
(２)  シャーシ
(20)  原動機構
(３)  ホルダー
(30)  鉄板
(４)  カムギア
(41)  第１カム溝
(42)  第２カム溝
(５)  リフター
(50)  リフター駆動レバー
(52)  カムフォロワー
(56)  ディスク受け部
(６)  リフター駆動スライド
(60)  連結バネ
(７)  ホルダー駆動スライド
(71)  カムフォロワー
(72)  連結バネ
(８)  カムスライド
(81)  カム溝
(９)  チャックプーリアセンブリ
(91)  チャックプーリ
(92)  チャックディスク
(93)  マグネット
(94)  貫通孔
(95)  リブ
【図１】
0003717824.tif 000002
【図２】
0003717824.tif 000003
【図３】
0003717824.tif 000004
【図４】
0003717824.tif 000005
【図５】
0003717824.tif 000006
【図６】
0003717824.tif 000007
【図７】
0003717824.tif 000008
【図８】
0003717824.tif 000009
【図９】
0003717824.tif 000010
【図１０】
0003717824.tif 000011
【図１１】
0003717824.tif 000012
【図１２】
0003717824.tif 000013
【図１３】
0003717824.tif 000014
【図１４】
0003717824.tif 000015
【図１５】
0003717824.tif 000016
【図１６】
0003717824.tif 000017
【図１７】
0003717824.tif 000018
【図１８】
0003717824.tif 000019
【図１９】
0003717824.tif 000020
【図２０】
0003717824.tif 000021
【図２１】
0003717824.tif 000022
【図２２】
0003717824.tif 000023
【図２３】
0003717824.tif 000024
【図２４】
0003717824.tif 000025
【図２５】
0003717824.tif 000026
【図２６】
0003717824.tif 000027
【図２７】
0003717824.tif 000028
【図２８】
0003717824.tif 000029
【図２９】
0003717824.tif 000030